(57)【要約】【課題】表示されている複数のウィンドウにおける表示内容の更新時間の設定が、より容易に実施できるようにする。【解決手段】表示領域検出部１０４は、表示部１０６に表示されている全てのウィンドウの表示領域の大きさを各々検出する。更新時間設定部１０５は、表示領域検出部１０４が検出した表示領域の大きさをもとに、表示部１０６に表示されているウィンドウにおける表示内容の更新時間を、表示領域が大きいほど短く設定する。更新時間設定部１０５は、表示に表示されているウィンドウを表示部１０６の全域に表示した全画面表示の場合の更新時間を最短更新時間として保持し、表示領域検出部１０４が検出した表示領域と全画面表示との大きさの比較により、保持している最短更新時間をもとに表示部１０６に表示されている各々のウィンドウにおける表示内容の更新時間を設定する。【選択図】  図１
2018155830.tif 000002
【特許請求の範囲】
【請求項１】
制御対象の複数の機器を制御するための各々の情報表示のウィンドウを表示部に表示させるように構成された表示制御部と、
前記表示部に表示されている複数のウィンドウの中のいずれかのウィンドウの選択操作を受け付けるように構成された第１操作受付部と、
前記第１操作受付部が受け付けた選択操作で選択されたウィンドウの表示領域の変更操作を受け付けるように構成された第２操作受付部と、
前記表示部に表示されている全てのウィンドウの表示領域の大きさを各々検出するように構成された表示領域検出部と、
前記表示領域検出部が検出した表示領域の大きさをもとに、前記表示部に表示されているウィンドウにおける表示内容の更新時間を、表示領域が大きいほど短く設定するように構成された更新時間設定部と
を備えることを特徴とする表示装置。
【請求項２】
請求項１記載の表示装置において、
前記更新時間設定部は、
前記表示部に表示されているウィンドウを前記表示部の全域に表示した全画面表示の場合の更新時間を最短更新時間として保持し、
前記表示領域検出部が検出した表示領域と全画面表示との大きさの比較により、前記最短更新時間をもとに前記表示部に表示されている各々のウィンドウにおける表示内容の更新時間を設定する
ことを特徴とする表示装置。
【請求項３】
制御対象の複数の機器を制御するための各々の情報表示のウィンドウを表示部に表示させるように構成された表示制御部と、
前記表示部に表示されている複数のウィンドウの中のいずれかのウィンドウの選択操作を受け付けるように構成された第１操作受付部と、
前記第１操作受付部が受け付けた選択操作で選択されたウィンドウの表示領域の変更操作を受け付けるように構成された第２操作受付部と、
前記表示部に表示されている全てのウィンドウの表示領域の大きさを各々検出するように構成された表示領域検出部と、
前記表示領域検出部が検出した表示領域の大きさをもとに、前記表示部に表示されているウィンドウにおける対象となる機器に関する警報発生時に発生される警報音の音量を、表示領域が大きいほど大きく設定するように構成された音量設定部と
を備えることを特徴とする表示装置。
【請求項４】
請求項３記載の表示装置において、
前記音量設定部は、
前記表示部に表示されているウィンドウを前記表示部の全域に表示した全画面表示の場合の音量を最大音量として保持し、
前記表示領域検出部が検出した表示領域と全画面表示との大きさの比較により、前記最大音量をもとに前記表示部に表示されている各々のウィンドウにおける警報音の音量を設定する
ことを特徴とする表示装置。
【発明の詳細な説明】
【技術分野】
【０００１】
本発明は、プラントなどの制御に用いられる情報を表示する表示装置に関する。
【背景技術】
【０００２】
例えば、プラントなどの制御には、制御システムが用いられ、さらに機器管理装置が用いられている。このような監視制御システムにおいては、ネットワークにより接続している現場に設置されたプロセス機器や各種センサなどのフィールド機器との間で信号をやりとりし、フィールド機器の動作を制御する。また、上記監視制御システムにおいては、フィールド機器の動作確認などの診断結果や、時間とともに変化する計測データが折れ線グラフなどで示されるトレンドグラフなどを、システムの操作画面に表示している。
【０００３】
また、システムのプラットフォームとなるコンピュータのオペレーティングシステムにおいては、近年、マルチタスク環境となっており、同時の複数のプログラムが実行可能とされている。また、上記オペレーティングシステムにおいては、操作画面はいわゆるウィンドウシステムとされ、同時に実行されている複数のプログラムの各々に表示領域（ウィンドウ）が割り当てられ、画面出力が多重化されている。
【０００４】
例えば、測定値の時系列な変化などを示すトレンドグラフのウィンドウや、フィールド機器より発生している様々な警報を通知するためのウィンドウが、コンピュータディスプレーの操作画面上に同時に表示される。また、例えば製造プロセスでは、複数の生産ラインが稼働しており、また、１つの生産ラインは複数の工程（プロセス）から構成されている。加えて、各工程において用いられる製造装置には、多くの制御値が存在し、これに対応してセンサなどの多くのフィールド機器が動作している。従って、操作画面には、多くのウィンドウが表示されることになる。
【先行技術文献】
【特許文献】
【０００５】
【特許文献１】特開平０２−１１０６２７号公報
【発明の概要】
【発明が解決しようとする課題】
【０００６】
ところで、トレンドグラフなどによって表示される計測データは、所定の時間間隔で更新されている。このため、ウィンドウの表示内容も更新する必要がある。このような、ウィンドウの表示内容の更新を、ウィンドウの表示内に用意されている更新ボタンをマウスなどのポインティングデバイスを用いた人為的な操作により選択することで、実施される技術がある。しかしながら、この更新では、多数のウィンドウに対して更新のための操作が必要となり、非常に手間がかかる。また、更新のし忘れなどが発生しやすく、関し漏れなどの問題も発生しやすい。
【０００７】
これに対し、自動的に表示内容を更新させる技術もある（特許文献１参照）。例えば、設定されている時間毎に表示内容の更新が実施される。また、更新時間を設定する画面が用意され、この画面を表示させて更新時間を設定し、設定した時間で表示内容を更新させる。
【０００８】
しかしながら、前述したように、多くのウィンドウが表示されている状態で、全ての表示内容の更新が短い更新頻度で実施されると、更新のための情報の取得がネットワークを介してなされるため、ネットワークの輻輳などが発生しやすくなる。これを防ぐためには、例えば、優先度などによって、表示内容の更新頻度を、監視対象（ウィンドウ）毎に異なる設定にすればよい。
【０００９】
ところで、優先度は状況によって変化するため、更新頻度の設定も、状況によって変更することになる。しかしながら、従来では、更新頻度の設定を、設定画面を表示させて実施するため、多くのウィンドウに対する設定の変更を実施しようとすると、非常に手間がかかるものとなる。
【００１０】
また、警報を通知するためのウィンドウが多数表示されている状態において、警報音が出力されても、警報の出力元を識別することが容易ではない。この場合、例えば、優先度などによって、警報音の音量を変更することが考えられる。しかしながら、上述したように優先度は状況によって変化するため、音量の設定も、状況によって変更することになる。しかしながら、従来では、音量の設定を、設定画面を表示させて実施するため、多くのウィンドウに対する設定の変更を実施しようとすると、非常に手間がかかるものとなる。
【００１１】
本発明は、以上のような問題点を解消するためになされたものであり、表示されている複数のウィンドウにおける表示内容の更新時間の設定が、より容易に実施できるようにすることを目的とする。また、表示されている複数のウィンドウにおける警報音の音量の設定が、より容易に実施できるようにすることを目的とする。
【課題を解決するための手段】
【００１２】
本発明に係る表示装置は、制御対象の複数の機器を制御するための各々の情報表示のウィンドウを表示部に表示させるように構成された表示制御部と、表示部に表示されている複数のウィンドウの中のいずれかのウィンドウの選択操作を受け付けるように構成された第１操作受付部と、第１操作受付部が受け付けた選択操作で選択されたウィンドウの表示領域の変更操作を受け付けるように構成された第２操作受付部と、表示部に表示されている全てのウィンドウの表示領域の大きさを各々検出するように構成された表示領域検出部と、表示領域検出部が検出した表示領域の大きさをもとに、表示部に表示されているウィンドウにおける表示内容の更新時間を、表示領域が大きいほど短く設定するように構成された更新時間設定部とを備える。
【００１３】
上記表示装置において、更新時間設定部は、表示部に表示されているウィンドウを表示部の全域に表示した全画面表示の場合の更新時間を最短更新時間として保持し、表示領域検出部が検出した表示領域と全画面表示との大きさの比較により、最短更新時間をもとに表示部に表示されている各々のウィンドウにおける表示内容の更新時間を設定する。
【００１４】
また、本発明に係る表示装置は、制御対象の複数の機器を制御するための各々の情報表示のウィンドウを表示部に表示させるように構成された表示制御部と、表示部に表示されている複数のウィンドウの中のいずれかのウィンドウの選択操作を受け付けるように構成された第１操作受付部と、第１操作受付部が受け付けた選択操作で選択されたウィンドウの表示領域の変更操作を受け付けるように構成された第２操作受付部と、表示部に表示されている全てのウィンドウの表示領域の大きさを各々検出するように構成された表示領域検出部と、表示領域検出部が検出した表示領域の大きさをもとに、表示部に表示されているウィンドウにおける対象となる機器に関する警報発生時に発生される警報音の音量を、表示領域が大きいほど大きく設定するように構成された音量設定部とを備える。
【００１５】
上記表示装置において、音量設定部は、表示部に表示されているウィンドウを表示部の全域に表示した全画面表示の場合の音量を最大音量として保持し、表示領域検出部が検出した表示領域と全画面表示との大きさの比較により、最大音量をもとに表示部に表示されている各々のウィンドウにおける警報音の音量を設定する。
【発明の効果】
【００１６】
以上説明したことにより、本発明によれば、表示されている複数のウィンドウにおける表示内容の更新時間の設定が、より容易に実施できるという優れた効果が得られる。また、本発明によれば、表示されている複数のウィンドウにおける警報音の音量の設定が、より容易に実施できるという優れた効果が得られる。
【図面の簡単な説明】
【００１７】
【図１】図１は、本発明の実施の形態１における表示装置の構成を示す構成図である。
【図２】図２は、本発明の実施の形態１における表示装置の動作例を説明するためのフローチャートである。
【図３】図３は、本発明の実施の形態２における表示装置の構成を示す構成図である。
【図４】図４は、本発明の実施の形態２における表示装置の動作例を説明するためのフローチャートである。
【発明を実施するための形態】
【００１８】
以下、本発明の実施の形態について図を参照して説明する。
【００１９】
［実施の形態１］
はじめに、本発明の実施の形態１における表示装置について、図１を用いて説明する。この表示装置は、表示制御部１０１、第１操作受付部１０２、第２操作受付部１０３、表示領域検出部１０４、更新時間設定部１０５、表示部１０６、および入力部１０７を備える。
【００２０】
表示制御部１０１は、制御対象の複数の機器を制御するための各々の情報表示のウィンドウを表示部１０６に表示させる。例えば、第１ウィンドウには、第１監視対象で測定された測定値の変化を時系列に示す測定値変化グラフが表示され、第２ウィンドウには、第１監視対象における警報の発生有無を示すタイミング図が表示され、第３ウィンドウには、第２監視対象で測定された測定値の変化を時系列に示す測定値変化グラフが表示される。
【００２１】
第１操作受付部１０２は、表示部１０６に表示されている複数のウィンドウの中のいずれかのウィンドウの選択操作を受け付ける。例えば、マウスやキーボードなどの入力部１０７の操作による、ウィンドウの選択操作の入力を受け付ける。
【００２２】
第２操作受付部１０３は、第１操作受付部１０２が受け付けた選択操作で選択されたウィンドウの表示領域の変更操作を受け付ける。例えば、入力部１０７の操作により、選択されたウィンドウの表示領域を広げる操作、または表示領域をより小さくする操作を受け付ける。
【００２３】
表示領域検出部１０４は、表示部１０６に表示されている全てのウィンドウの表示領域の大きさを各々検出する。更新時間設定部１０５は、表示領域検出部１０４が検出した表示領域の大きさをもとに、表示部１０６に表示されているウィンドウにおける表示内容の更新時間を、表示領域が大きいほど短く設定する。なお、表示領域検出部１０４が検出した表示領域の大きさの縦と横との比率が、１０倍以上となっているなど、設定されている比率を超えて極端に幅が狭い状態の場合、表示領域が最も小さいものとしてもよい。
【００２４】
更新時間設定部１０５は、表示部１０６に表示されているウィンドウを表示部１０６の全域に表示した全画面表示の場合の更新時間を最短更新時間として保持している。更新時間設定部１０５は、表示領域検出部１０４が検出した表示領域と全画面表示との大きさの比較により、保持している最短更新時間をもとに表示部１０６に表示されている各々のウィンドウにおける表示内容の更新時間を設定する。
【００２５】
例えば、最短更新時間が３秒ごととされている場合、表示領域検出部１０４が検出した表示領域の大きさが、全画面表示状態に対して８０％のウィンドウについては、更新時間を３×（１００÷８０）×２＝７．５秒とする。
【００２６】
以下、実施の形態１における表示装置の動作例について、図２のフローチャートを用いて説明する。まず、ステップＳ１０１で、制御プログラムが起動すると、表示制御部１０１が、制御対象の複数の機器を制御するための各々の情報表示のウィンドウを表示部１０６に表示させる。次に、ステップＳ１０２で、表示領域検出部１０４が、現時点で表示部１０６に表示されている全てのウィンドウの表示領域の大きさを各々検出する。
【００２７】
次に、ステップＳ１０３で、更新時間設定部１０５が、表示領域検出部１０４が検出した表示領域の大きさをもとに、表示部１０６に表示されているウィンドウにおける表示内容の更新時間を、表示領域が大きいほど短く設定する。
【００２８】
次に、ステップＳ１０４で、制御プログラムが終了されたかどうかを判断する。ステップＳ１０４で、制御プログラムの終了が判断されない場合（ステップＳ１０４のｎｏ）、ステップＳ１０５に進む。ステップＳ１０５で、第１操作受付部１０２が、表示部１０６に表示されている複数のウィンドウの中のいずれかのウィンドウの選択操作を受け付けると（ステップＳ１０５のｙｅｓ）、ステップＳ１０６に進む。
【００２９】
ステップＳ１０６で、第２操作受付部１０３は、第１操作受付部１０２が受け付けた選択操作で選択されたウィンドウの表示領域の変更操作を受け付けると（ステップＳ１０６のｙｅｓ）、ステップＳ１０２で、表示領域検出部１０４が、表示部１０６に現時点で表示されている全てのウィンドウの表示領域の大きさを各々検出する。次に、ステップＳ１０３で、更新時間設定部１０５が、表示領域検出部１０４が検出した表示領域の大きさをもとに、表示部１０６に表示されているウィンドウにおける表示内容の更新時間を、表示領域が大きいほど短く設定する。
【００３０】
以上に説明したように、本発明では、更新時間設定部が、表示されているウィンドウにおける表示内容の更新時間を、表示領域が大きいほど短く設定する。このため、本発明によれば、優先度に合わせてウィンドウの表示領域の大きさを変更すればよく、表示されている複数のウィンドウにおける表示内容の更新時間の設定が、より容易に実施できるようになる。
【００３１】
［実施の形態２］
次に、本発明の実施の形態２における表示装置について、図３を用いて説明する。この表示装置は、表示制御部１０１、第１操作受付部１０２、第２操作受付部１０３、表示領域検出部１０４、表示部１０６、入力部１０７、音量設定部１０８、および警報音出力部１０９を備える。
【００３２】
表示制御部１０１は、制御対象の複数の機器を制御するための各々の情報表示のウィンドウを表示部１０６に表示させる。例えば、第１ウィンドウには、第１監視対象で測定された測定値の変化を時系列に示す測定値変化グラフが表示され、第２ウィンドウには、第１監視対象における警報の発生有無を示すタイミング図が表示され、第３ウィンドウには、第２監視対象で測定された測定値の変化を時系列に示す測定値変化グラフが表示される。
【００３３】
第１操作受付部１０２は、表示部１０６に表示されている複数のウィンドウの中のいずれかのウィンドウの選択操作を受け付ける。例えば、マウスやキーボードなどの入力部１０７の操作による、ウィンドウの選択操作の入力を受け付ける。
【００３４】
第２操作受付部１０３は、第１操作受付部１０２が受け付けた選択操作で選択されたウィンドウの表示領域の変更操作を受け付ける。例えば、入力部１０７の操作により、選択されたウィンドウの表示領域を広げる操作、または表示領域をより小さくする操作を受け付ける。
【００３５】
表示領域検出部１０４は、表示部１０６に表示されている全てのウィンドウの表示領域の大きさを各々検出する。音量設定部１０８は、表示領域検出部１０４が検出した表示領域の大きさをもとに、表示部１０６に表示されているウィンドウにおける対象となる機器に関する警報発生時に警報音出力部１０９より発生される警報音の音量を、表示領域が大きいほど大きく設定する。なお、表示領域検出部１０４が検出した表示領域の大きさの縦と横との比率が、１０倍以上となっているなど、設定されている比率を超えて極端に幅が狭い状態の場合、表示領域が最も小さいものとしてもよい。
【００３６】
音量設定部１０８は、表示部１０６に表示されているウィンドウを表示部１０６の全域に表示した全画面表示の場合の音量を最大音量として保持している。音量設定部１０８は、表示領域検出部１０４が検出した表示領域と全画面表示との大きさの比較により、保持している最大音量をもとに表示部１０６に表示されている各々のウィンドウにおける警報音の音量を設定する。
【００３７】
例えば、最大音量が３秒ごととされている場合、表示領域検出部１０４が検出した表示領域の大きさが、全画面表示状態に対して８０％のウィンドウについては、音量をさいだいおんりょうの８０％に小さくする。
【００３８】
以下、実施の形態２における表示装置の動作例について、図４のフローチャートを用いて説明する。まず、ステップＳ２０１で、制御プログラムが起動すると、表示制御部１０１が、制御対象の複数の機器を制御するための各々の情報表示のウィンドウを表示部１０６に表示させる。次に、ステップＳ２０２で、表示領域検出部１０４が、現時点で表示部１０６に表示されている全てのウィンドウの表示領域の大きさを各々検出する。
【００３９】
次に、ステップＳ２０３で、音量設定部１０８が、表示領域検出部１０４が検出した表示領域の大きさをもとに、表示部１０６に表示されているウィンドウにおける警報音の音量を、表示領域が大きいほど大きく設定する。
【００４０】
次に、ステップＳ２０４で、制御プログラムが終了されたかどうかを判断する。ステップＳ２０４で、制御プログラムの終了が判断されない場合（ステップＳ２０４のｎｏ）、ステップＳ２０５に進む。ステップＳ２０５で、第１操作受付部１０２が、表示部１０６に表示されている複数のウィンドウの中のいずれかのウィンドウの選択操作を受け付けると（ステップＳ２０５のｙｅｓ）、ステップＳ２０６に進む。
【００４１】
ステップＳ２０６で、第２操作受付部１０３は、第１操作受付部１０２が受け付けた選択操作で選択されたウィンドウの表示領域の変更操作を受け付けると（ステップＳ２０６のｙｅｓ）、ステップＳ２０２で、表示領域検出部１０４が、表示部１０６に現時点で表示されている全てのウィンドウの表示領域の大きさを各々検出する。次に、ステップＳ２０３で、音量設定部１０８が、表示領域検出部１０４が検出した表示領域の大きさをもとに、表示部１０６に表示されているウィンドウにおける警報音の音量を、表示領域が大きいほど大きく設定する。
【００４２】
以上に説明したように、本発明では、音量設定部が、表示されているウィンドウにおける警報音の音量を、表示領域が大きいほど大きく設定する。このため、本発明によれば、優先度に合わせてウィンドウの表示領域の大きさを変更すればよく、表示されている複数のウィンドウにおける警報音の音量の設定が、より容易に実施できるようになる。
【００４３】
なお、本発明は以上に説明した実施の形態に限定されるものではなく、本発明の技術的思想内で、当分野において通常の知識を有する者により、多くの変形および組み合わせが実施可能であることは明白である。例えば、実施の形態１と実施の形態２とを組み合わせるようにしてもよい。
【符号の説明】
【００４４】
１０１…表示制御部、１０２…第１操作受付部、１０３…第２操作受付部、１０４…表示領域検出部、１０５…更新時間設定部、１０６…表示部、１０７…入力部、１０８…音量設定部、１０９…警報音出力部。
【図１】
2018155830.tif 000003
【図２】
2018155830.tif 000004
【図３】
2018155830.tif 000005
【図４】
2018155830.tif 000006